(57)【要約】      （修正有）【課題】回転式スイッチの結線作業を極めて簡素化した水密滑り戸用の開閉操作システムを提供する。【解決手段】水密隔壁２を介して互いに背中を向けた状態で固定され、内部を水密状とされた一対の電装用水密箱１１と、水密隔壁２及び一対の電装用水密箱１１を水密状且つ回動可能に貫通した状態に装設され、各端部が各電装用水密箱の外方に位置されてなる軸部材１７と、軸部材の各端部に固定された操作レバー２５ａ、２５ｂと、一方の電装用水密箱１１の内部に配置され電気接点を具備した回転式スイッチ１５と、一方の電装用水密箱１１の内部に位置する軸部材１７に固定されたべベルギア２４ａとを有し、べベルギア２４ａに噛み合うべベルギア２４ｂが回転式スイッチ１５の回転軸１５ｂに固定されている。【選択図】図２
0003186247.tif 000002
【実用新案登録請求の範囲】
【請求項１】
水密隔壁を介して互いに背中を向けた状態で固定され、内部を水密状とされた一対の電装用水密箱と、
前記水密隔壁及び前記一対の電装用水密箱を水密状且つ回動可能に貫通した状態に装設され、各端部が各電装用水密箱の外方に位置されてなる軸部材と、
該軸部材の前記各端部に固定された操作レバーと、
前記一対の電装用水密箱の一方の内部に配置され電気接点を具備した回転式スイッチと、
前記一方の電装用水密箱の内部に位置する前記軸部材に固定されたべベルギアとを有し、
前記べベルギアに噛み合うべベルギアが前記回転式スイッチの回転軸に連結されていることを特徴とする水密滑り戸用の開閉操作システム。
【考案の詳細な説明】
【技術分野】
【０００１】
船舶などに使用される水密滑り戸の開閉操作システムに関する。
【背景技術】
【０００２】
船体の内部は水密隔壁によって複数の区画に区分されている。これは、たとえ船体に予期しない穴や亀裂が生じたとしても、船体への浸水を一部の区画に留めて、船体が浮く上で必要な浮力を確保するためである。
【０００３】
水密隔壁には、水密滑り戸（例えば特許文献１参照）により閉鎖可能とされた開口が形成されているが、この開口は、船の沈没にも関係する重要なものであるため、その開閉構造については規則において詳細に定められている。
【０００４】
水密滑り戸の開閉操作システムとして電気的に開閉操作されるものがあり、このようなシステムにおいては、水密滑り戸が人為力による電気接点の断続で生成される電気信号に関連して供給される電力又は流体圧力で生成される駆動力により開閉動作される。
【０００５】
このような開閉操作システムとしては、例えば図３及び図４に示すようなものが知られている。これらの図中、１ａ及び１ｂは水密隔壁２や他の船体部材により水密状に囲まれた各区画であり、３はホイールハウスＷＨ内の領域を示しており、４は水密隔壁２に設けられた四角状の開口、５は開口４を開閉するための水密滑り戸である。水密滑り戸５の開閉操作システム１００Ａは油圧発生部６、作動油供給タンク７、ソレノイド８ａ、８ｂで切換駆動される方向切換弁８、ホイールハウスＷＨ内に設けられた中央操作制御盤９、水密滑り戸５開閉用の油圧シリンダー装置１０、及び、２つの電装用水密箱１１、１１を備えている。
【０００６】
そして中央操作制御盤９には、一方のソレノイド８ａを作動させるための押しボタンスイッチ１２や、水密滑り戸５の開閉状態を表示するための表示ランプ１３ａ、１３ｂが設けられている。また各電装用水密箱１１、１１は図４に示すように水密隔壁２の前後各側の表面２ａ、２ｂに支持片１１ｄを介して固定されており、それぞれの水密箱１１の前面には一方のソレノイド８ａを作動させるための複数の電気接点を具備した回転式スイッチ１５が設けられ、中央操作制御盤９に接続されている。
【０００７】
水密滑り戸５を閉鎖作動させるときは、任意な何れかの区画１ａ、１ｂ内において回転式スイッチ１５の操作レバー２５ａを閉位置ｇ２に揺動操作する。これにより操作制御システム１００Ｂの制御回路が一方のソレノイド８ａを作動させ方向切換弁８が油圧シリンダー装置１０を伸張作動させる側に切り換えられた状態となり、油圧シリンダー装置１０は伸長作動側の油室内に圧力油を供給されて伸張作動し、水密滑り戸５は操作レバー２５ａ又は２５ｂの揺動操作方向と同一の方向へ動作されて開口４を閉鎖した状態となる。水密滑り戸５が完全に閉鎖されたとき、これをリミットスイッチ２３ａが検出して中央操作制御盤９ａ上の緑色の表示ランプ１３ａを点灯させる。
【０００８】
逆に水密滑り戸５を開放作動させるときは、任意な何れかの区画１ａ、１ｂ内において操作レバー２５ａ又は２５ｂを開位置ｇ３に揺動操作する。これにより操作制御システム１００Ｂの制御回路が他方のソレノイド８ｂを作動させ、方向切換弁８が油圧シリンダー装置１０を短縮作動させる側に切り換えられた状態となり、油圧シリンダー装置１０は短縮作動側の油室内に圧力油を供給されて伸張作動し、水密滑り戸５は操作レバー２５ａ又は２５ｂの揺動操作方向と同一の方向へ動作されて開口４を開放した状態となる。水密滑り戸５が完全に開放されたとき、これをリミットスイッチ２３ｂが検出して中央操作制御盤９ａ上の赤色の表示ランプ１３ｂを点灯させる。
【先行技術文献】
【特許文献】
【０００９】
【特許文献１】実用新案登録第３０４９９４４号公報
【考案の概要】
【考案が解決しようとする課題】
【００１０】
回転式スイッチ１５の操作レバー２５ａ又は２５ｂの操作される方向と同じ方向に水密滑り戸が開閉操作しなければならないことが法令規則により決められており、水密隔壁２を介して互いに背中合わせに配置される回転式スイッチ１５の接点を、互いの整合性を合わせた状態で結線しなければならなかった。
本考案は、回転式スイッチの結線作業を極めて簡素化した水密滑り戸用の開閉操作システムを提供することを目的とする。
【課題を解決するための手段】
【００１１】
上記目的を達成するため、本考案に係る水密滑り戸用の開閉操作システムは、水密隔壁を介して互いに背中を向けた状態で固定され、内部を水密状とされた一対の電装用水密箱と、前記水密隔壁及び前記一対の電装用水密箱を水密状且つ回動可能に貫通した状態に装設され、各端部が各電装用水密箱の外方に位置されてなる軸部材と、該軸部材の前記各端部に固定された操作レバーと、前記一対の電装用水密箱の一方の内部に配置され前記電気接点を具備した回転式スイッチと、前記一方の電装用水密箱の内部に位置する前記軸部材に固定されたべベルギアとを有し、前記べベルギアに噛み合うべベルギアが前記回転式スイッチの回転軸に連結されていることを特徴とする。
【考案の効果】
【００１２】
本考案によれば、夫々の区画の操作レバーは、軸部材１７により連結されており、一方側の回転式スイッチの操作レバーの操作方向を水密滑り戸５の開閉方向にあわせるように結線すれば、他方側の操作レバーの操作方向は、必然的に法令規則に適合するように設定できるため、回転式スイッチの結線作業を極めて簡素化した水密滑り戸用の開閉操作システムを提供することができる。
【図面の簡単な説明】
【００１３】
【図１】本考案に係る水密滑り戸の開閉操作システムの概要を示す説明図である。
【図２】上記開閉操作システムの一部を示す図である。
【図３】従来例に係る説明図である。
【図４】従来例に係る開閉操作システムの一部を示す図である。
【考案を実施するための形態】
【００１４】
図１は本実施例に係る水密滑り戸の開閉操作システムの一実施例の概要を示し、図２はこの開閉操作システムの一部を示す断面図である。図１及び図２中、従来例と同一部位については同一の符号を付している。
【００１５】
水密滑り戸５の開閉操作システム１００Ｂは多くの部分で図４及び図５に示した従来のそれ１００Ａに合致しており、以下、相違する部分を主に説明する。隣接した２つの区画１ａ、１ｂを仕切った水密隔壁２の前後側（例えば、開口４を通る人が歩行する床面から１．６ｍ以上の高さ箇所）に一対の電装用水密箱１１、１１が互いに背中を向けた状態で固定される。各電装用水密箱１１は図３に示すように側面及び底面を有する収容部１１ａと、この収容部１１ａの前面に形成された開口箇所を、パッキンを介して水密状に覆う蓋部１１ｂとを有しており、その外形は従来のものと変わりない。
【００１６】
図２において、区画１ａ内に位置された一方の電装用水密箱１１内には複数の電気接点を具備した回転式スイッチ１５が固定されており、他方の電装用水密箱１１には回転式スイッチ１５は設けられていない。各電装用水密箱１１の前面の周壁をなす蓋部１１ｂには油圧発生部６の出力側の油圧が低下したことを視覚的に表示する発光部１６ａを具備した赤色の表示ランプ１６が嵌挿され蓋体１１ｂにパッキンを介し水密状に固定されている。そして一方の電装用水密箱１１内の回転式スイッチ１５、表示ランプ１６は操作制御システム１００Ｂの中央操作制御盤９に接続されている。
【００１７】
水密隔壁２及び一対の電装用水密箱１１、１１にはこれらを水密状且つ回動可能に貫通した状態の１本の軸部材１７が前後方向ｘ１に沿って装設されている。軸部材１７が貫通した水密隔壁２箇所には透孔ｂ1が形成され、この透孔ｂ１に軸受体１８が貫通状に位置された状態で水密隔壁２に溶着され、軸受体１８の内孔には軸部材１７が回動可能に挿通されている。軸受体１８は外周面の前部１８ａを小径に、そして外周面の後部１８ｂを大径とされ、後部１８ｂの環状端面ｃ１を水密隔壁２の一面に当接されて、前後方向ｘ１上の位置を決定されている。そして軸受体１８の前側と後側には工業用の回転オイルシール１９の組み込まれたシール構造体２０が軸部材１７に外嵌された状態で軸受体１８の対応する端面にパッキン２１を介し当接されボルトで固定された状態とされ、軸部材１７はこれらシール構造体２０、２０を介して水密隔壁２を水密状且つ回転可能に貫通した状態とされている。
【００１８】
一方、各電装用水密箱１１の収容部１１ａ及び蓋部１１ｂの周壁には軸部材１７を貫通させるための透孔ｄ１、ｄ２が形成されており、各透孔ｄ１、ｄ２には軸部材１７に外嵌された状態のシール構造体２０の外周面の先細り部が嵌挿されている。各シール構造体２０は鍔部２０ａの一方の環状端面ｅ１を対応側の電装用水密箱１１の収容部１１ａの内面や、蓋部１１ｂの内面にパッキン及びボルトを介して水密状に固定されている。そして、各鍔部２０ａの他方の端面には工業用の回転オイルシール１９の抜け出しを規制するための環状板２２がボルトを介して固定されている。こうして軸部材１７は各電装用水密箱１１を水密状且つ回転可能に貫通するが、各電装用水密箱１１の内側の保護等級は最高グレード（ＩＰ６８）に維持する。
【００１９】
図１に戻り、水密滑り戸５に対応する２位置には２つのリミットスイッチ２３ａ、２３ｂが固定されており、一方のリミットスイッチ２３ａは水密滑り戸５が完全に閉鎖されたことを検出するものであり、他方のリミットスイッチ２３ｂは水密滑り戸５が完全に開放されたことを検出するものである。
【００２０】
軸部材１７のうち前側の区画１ａ内の電装用水密箱１１内に位置する部位はベベルギア２４ａが設けられている。ベベルギア２４ａにはベベルギア２４ｂが噛み合っており回転方向を９０度変換して、回転式スイッチ１５の回転軸１５ｂと連結されている。このため、回転式スイッチ１５は立てた状態で電装用水密箱１１内に固定され、電装用水密箱１１の前後方向の厚さは、従来のままである。また、軸部材１７の各端部のうち各電装用水密箱１１、１１の外側に位置した箇所には操作レバー２５ａ、２５ｂが固定されている。各操作レバー２５ａ、２５ｂは図２に示すように、これの揺動操作範囲ｆ１の中央位置（基準位置）ｇ１に位置された状態において上下方向に沿うように固定されている。
【００２１】
各操作レバー２５ａ、２５ｂと回転式スイッチ１５の対応関係は、図２において操作レバー２５ａ、２５ｂを閉位置ｇ２に揺動操作したときに、水密滑り戸５が操作レバー２５ａ、２５ｂの揺動方向へ動作して開口４を閉鎖するように作動し、逆に操作レバー２５ａ、２５ｂを開位置ｇ３に揺動操作したときに、水密滑り戸５が操作レバー２５ａ、２５ｂの揺動方向へ動作して開口４を開放するように作動する。回転式スイッチ１５は閉位置ｇ２又は開位置ｇ３に操作された操作レバー２５ａ、２５ｂを基準位置に自動復帰させる手段が設けられている。
【００２２】
隣接した２つの区画１ａ、１ｂを仕切った水密隔壁２の前後の各表面で水密滑り戸５に関係する位置には音警報を発するベル２６ａ、２６ｂが固定されており、各ベル２６ａ、２６ｂには水密滑り戸５が閉鎖中或いは開放中にそのことを視覚的に表示する赤色の表示ランプ２７が設けられている。
【００２３】
次に各部の作動について説明する。
ホイールハウスＷＨの中央操作制御盤９において押しボタンスイッチ１２を押し操作しない状態では、操作制御システム１００Ｂは水密滑り戸５の開閉操作を戸存在場所においてのみ行い得る状態となる。
【００２４】
即ち、水密滑り戸５を閉鎖作動させるときは、任意な何れかの区画１ａ、１ｂ内において操作レバー２５ａ又は２５ｂを閉位置ｇ２に揺動操作する。これにより操作制御システム１００Ｂの制御回路が一方のソレノイド８ａを作動させ方向切換弁８が油圧シリンダー装置１０を伸張作動させる側に切り換えられた状態となり、油圧シリンダー装置１０は伸長作動側の油室内に圧力油を供給されて伸張作動し、水密滑り戸５は操作レバー２５ａ又は２５ｂの揺動操作方向と同一の方向へ動作されて開口４を閉鎖した状態となる。水密滑り戸５が完全に閉鎖されたとき、これをリミットスイッチ２３ａが検出して中央操作制御盤９ａ上の緑色の表示ランプ１３ａを点灯させる。
【００２５】
逆に水密滑り戸５を開放作動させるときは、任意な何れかの区画１ａ、１ｂ内において操作レバー２５ａ又は２５ｂを開位置ｇ３に揺動操作する。これにより操作制御システム１００Ｂの制御回路が他方のソレノイド８ｂを作動させ、方向切換弁８が油圧シリンダー装置１０を短縮作動させる側に切り換えられた状態となり、油圧シリンダー装置１０は短縮作動側の油室内に圧力油を供給されて伸張作動し、水密滑り戸５は操作レバー２５ａ又は２５ｂの揺動操作方向と同一の方向へ動作されて開口４を開放した状態となる。水密滑り戸５が完全に開放されたとき、これをリミットスイッチ２３ｂが検出して中央操作制御盤９ａ上の赤色の表示ランプ１３ｂを点灯させる。
【００２６】
次にホイールハウスＷＨの中央操作制御盤９において押しボタンスイッチ１２を押し操作したときは、操作制御システム１００Ｂは開放された状態の水密滑り戸５を戸存在箇所の操作レバー２５ａ又は２５ｂによることなく自動的に閉鎖させる状態となる。しかし、この自動的な閉鎖が行われているときに戸存在箇所の操作レバー２５ａ又は２５ｂを操作したときは、操作レバー２５ａ又は２５ｂによる動作が優先される。
【００２７】
また水密滑り戸５が開閉動作しているときには赤色の表示ランプ１３ａが点滅し、これに対応してベル２６ａ、２６ｂが作動して警告音を発すると共に赤色の表示ランプ２７が点灯してベル２６ａ、２６ｂの作動を視覚的に表示する。
【００２８】
上記したところから明らかなように、べベルギア２４ａ、２４ｂを採用し、水密隔壁の前後２つの電装用水密箱１１の回転式スイッチを一方の１つのみとし、軸部材で連結したため、夫々の区画１ａ、１ｂの操作レバー２５ａと２５ｂは、軸部材１７により連結されており、水密隔壁を介して背中合わせに同一方向に回動する。従って、一方側の回転式スイッチ５の操作レバー２５ａの操作方向を、脇に配置されるであろう水密滑り戸５の開閉方向にあわせるように結線すれば、他方側の操作レバー２５ｂの操作方向を必然的に法令規則に適合して水密滑り戸５の開閉方向にあわせるように設定できるという効果がある。
【符号の説明】
【００２９】
１００Ｂ  開閉操作システム
２  水密隔壁
５  水密滑り戸
１１  電装用水密箱
１５  回転式スイッチ
１６  表示ランプ（電装品）
１６ａ  発光部
１７  軸部材
２４ａ  ベベルギア
２４ｂ  ベベルギア
２５ａ  操作レバー
２５ｂ  操作レバー
【図１】
0003186247.tif 000003
【図２】
0003186247.tif 000004
【図３】
0003186247.tif 000005
【図４】
0003186247.tif 000006